(57)【要約】【課題】異なる幅や高度の摺動モジュールを収納するための再構成可能なシャーシを開示する。【解決手段】一例のシャーシは、側壁及び後壁を含む。後壁は、異なる高度に位置する係止部を有する。シェルフは、異なる高度の係止部に接続されることができる。側壁の前端は、異なる高度でシェルフに付着されることができる。別の実施例において、シャーシは、２つの側壁の後部に位置する再構成可能な水平バスバー構造を有してよい。別の例のシャーシは、２つの側壁の間で調整可能な垂直バスバー構造を有してよい。【選択図】図１
2019121385.tif 000002
【特許請求の範囲】
【請求項１】
各々の前端及び対向する後端にそれぞれフランジを有する一対の側壁と、
異なる高度に位置する複数の係止部を含み、前記側壁の前記後端に付着される後壁と、
前端及び後端を有するシェルフであって、該シェルフの前記後端は所望の高度で前記係止部の１つに接合される接合部を含み、該シェルフの前記前端は前記側壁の１つの前記フランジに接触するためのタブを含む前記シェルフと、
を備える再構成可能なシャーシ。
【請求項２】
配電盤を更に含む請求項１に記載の再構成可能なシャーシ。
【請求項３】
前記係止部は、前記後壁から延伸する複数のガイドピンを含む請求項１または２に記載の再構成可能なシャーシ。
【請求項４】
前記フランジは、各々前記係止部に対応する複数の穴を含み、且つ前記シェルフの前記タブは穴を含む請求項１〜３の何れか１項に記載の再構成可能なシャーシ。
【請求項５】
一対の側壁と、
前記側壁を接続する底板と、
前記側壁の間に挿入される第１のシェルフと、
第１の水平バスバーを前記第１のシェルフと大体同じ高度に保持する垂直支持部材を含み、前記側壁の一端に位置するバスバー構造と、
を備える再構成可能なシャーシ。
【請求項６】
前記底板に取り付けられる複数の電源供給ユニットを含む配電盤を更に備える請求項５に記載の再構成可能なシャーシ。
【請求項７】
前記第１のシェルフは、異なる幅の摺動モジュールを支持するように操作されてよい請求項５または６に記載の再構成可能なシャーシ。
【請求項８】
それぞれ前端及び後端を有する一対の側壁と、
前記側壁の間の前記前端と前記後端を接続する底板と、
前記側壁の前端から前記側壁の間に挿入される第１のシェルフと、
水平支持板及び垂直支持部材を含み、前記側壁の前記後端の付近に位置し、前記側壁の間に調節可能に位置決めされる第１のバスバー構造と、
を含む再構成可能なシャーシ。
【請求項９】
一対の側壁を有する前シャーシ構造と、
前記前シャーシ構造の前記側壁の間に挿入可能な第１のシェルフと、
後シャーシ構造を収納するように、一対の側壁及び開放した前端を有する前記後シャーシ構造と、
前記後シャーシ構造の対向する後端に位置するバスバー構造と、
を含む再構成可能なシャーシ。
【請求項１０】
前記バスバー構造に接続される、前記第１のシェルフに挿入可能な摺動モジュールを更に含む請求項９に記載の再構成可能なシャーシ。
【発明の詳細な説明】
【技術分野】
【０００１】
本開示は、全体的に、伸縮可能なシャーシ構造に関する。より具体的に、本開示の各方面は、複数の異なるサイズの摺動モジュールの収納に好適に用いられるシャーシ構造に関する。
【背景技術】
【０００２】
クラウドコンピューティングアプリケーションの出現により、リモートインストールに対する要求（つまり、データセンタ）が増え、データセンタがデータを保存して遠隔接続されるコンピュータ装置のユーザーのアクセスするアプリケーションプログラムを運行させる。このようなデータセンタがデータを保存し管理するように一般的に例えば、サーバ（ｓｅｒｖｅｒ）、スイッチ（ｓｗｉｔｃｈ）及び記憶装置のような装置を大量に有するため、リモートによって、コンピュータのユーザーは、便利にアクセスすることができる。典型的なデータセンタとしては、物理的シャーシ又はシャーシ（ｃｈａｓｓｉｓ）構造を有し、別に電源及び通信接続もある。このようなシャーシであれば、複数のネットワーク装置を収納することができ、シャーシをスワップイン（ｓｗａｐ  ｉｎ）及びスワップアウト（ｓｗａｐ  ｏｕｔ）することができる。シャーシは、空間全体又はデータセンタの空間で１列に並べる。シャーシの各々は、１つのフレームを含む。前記フレームは、水平に定向される、サーバ、スイッチ及び記憶装置のような複数の装置を収納可能なスロットを有する。従来のデータセンタにあるこのようなシャーシ構造には、数多くのこのような装置が積み重ねられる。例えば、あるデータセンタは、数万台のサーバや、サーバ記憶装置、ネットワークスイッチを有する。そのため、典型的なデータセンタは、数百又は数千の単独したシャーシにおける数万乃至数十万の設備を含んでよい。
【０００３】
典型的なシャーシは、底壁及び頂壁により接続された側壁を有するベースを含む。シャーシは、シャーシの中に取り付けられた装置を支持するための各種の電子素子を更に含んでよい。例えば、シャーシシステムは、配電盤（ｐｏｗｅｒ  ｄｉｓｔｒｉｂｕｔｉｏｎ  ｂｏａｒｄ）を含んでよい。前記配電盤は、シャーシにおける装置に給電するための電源供給ユニットを含む。側壁は、周期的に隔たれた溝又はタブのような複数の係止部（ｒｅｇｉｓｔｒａｔｉｏｎ  ｆｅａｔｕｒｅ）を有する。係止部における側壁の間に複数のシェルフが取り付けられる。一旦取り付けられると、各シェルフは、異なるネットワーク装置を収納することができる。シャーシシステムは、一般的に、各シェルフを分けるために、一定の高度を有する。サーバ、スイッチ、ルータ（ｒｏｕｔｅｒ）等のような異なるネットワーク装置は、除去可能な摺動モジュール構造の中に搭載され、シャーシにおける１つのシェルフに挿入されてよい。典型的な摺動モジュールのサイズは、標準高度単位を基準とする。例えば、高度は「Ｕ」で表されてよい。そのため、標準の１Ｕのシャーシ型サーバの高度は１．７５ｉｎであり、２Ｕのサーバの高度は３ｉｎである。典型的なネットワーク装置は、異なる標準高度単位を有するように設計されてよい。
【０００４】
現在、係止部が側壁に設けられるため、ほとんどのシャーシは、同じ高度のシェルフにより作成されたスロットを有する。シャーシにおけるネットワーク素子が同じであり又は同じサイズを有する場合、このような配置の効果が良好であるが、またシャーシの内部空間をあるサイズの摺動モジュールに制限してしまう。しかしながら、ネットワーク素子及びそれに対応する摺動モジュールが一般的に異なるサイズ（例えば、異なる幅や高度）を有するため、異なるシャーシ設計は異なる素子にしか用いられないので、費用及び複雑性が増える。そのため、１つのシャーシに異なる高度の装置を収納するために、適当な空間を提供するようにシャーシ構造を交換しなければならない。
【０００５】
典型的なシャーシは、垂直バスバー（ｂｕｓ  ｂａｒ）を更に含む。バスバーは、電力ケーブルの電源から挿入された摺動モジュールへの接続を可能にする固定構造である。バスバーの位置は、摺動モジュールの高度（ｐｉｔｃｈ）により決められる。従来のシャーシ設計において、電源接続の数が限られるため、バスバーは、同一のスロットにおける摺動モジュールの数が任意に変更されないようにする。
【発明の概要】
【発明が解決しようとする課題】
【０００６】
そのため、異なる高度を有する異なる摺動モジュールを収納するように容易に調整することのできる再構成可能なシャーシが望まれる。また、異なる数の摺動モジュールの挿入を可能にするようにバスバーの位置を調整することのできるシャーシが望まれる。また、絶えずに変化する各種の異なるサイズの摺動モジュールを収納するように支持構造をいつでも調整可能な再構成可能なシャーシが望まれる。
【課題を解決するための手段】
【０００７】
１つの開示の実施例は、各々の前端及び対向する後端にそれぞれフランジ（ｆｌａｎｇｅ）を有する一対の側壁と、異なる高度に位置する複数の係止部（ｒｅｇｉｓｔｒａｔｉｏｎ  ｆｅａｔｕｒｅ）を含み、側壁の後端に付着される後壁と、前端及び後端を有するシェルフであって、シェルフの後端が所望の高度で係止部の１つに接合される接合部（ｅｎｇａｇｅｍｅｎｔ  ｆｅａｔｕｒｅ）を含み、シェルフの前端が側壁の１つのフランジに接触するためのタブ（ｔａｂ）を含むシェルフと、を備える再構成可能なシャーシ（ａｄａｐｔａｂｌｅ  ｃｈａｓｓｉｓ）である。
【０００８】
別の実施例は、一対の側壁と、側壁に接続される底板と、側壁の間に挿入される第１のシェルフと、第１の水平バスバーを第１のシェルフと大体同じ高度に保持する垂直支持部材を含み、側壁の一端に位置するバスバー構造（ｂｕｓ  ｂａｒ  ｓｔｒｕｃｔｕｒｅ）と、を備える再構成可能なシャーシである。
【０００９】
別の実施例は、それぞれ前端及び後端を有する一対の側壁と、側壁の前端と後端の間の側壁を接続する底板と、側壁の前端から側壁の間に挿入される第１のシェルフと、水平アンカー止め支持部材（ａｎｃｈｏｒｉｎｇ  ｓｕｐｐｏｒｔ）及び垂直支持部材を含み、側壁の後端の付近に位置し、側壁の間に調節可能に位置決めされる第１のバスバー構造と、を備える再構成可能なシャーシである。
【００１０】
別の実施例は、一対の側壁を有する前シャーシと、前シャーシの側壁の間に挿入可能な第１のシェルフと、後シャーシを収納するように、一対の側壁及び開放した前端を有する後シャーシと、後シャーシの対向する後端に位置するバスバー構造と、を備える再構成可能なシャーシである。
【００１１】
上記の発明の内容は、本開示の各実施例又は各様相を一つごとに表すためのものではない。逆に、前の発明の内容は、本文に記載の幾つかの新規な点や特徴の範例のみを提供する。添付図面及び添付の請求項に合わせて本開示の代表的な実施例及びモードを詳しく説明する場合、本開示の上記の特徴及びメリット、及びその他の特徴及びメリットは、容易に理解される。
【図面の簡単な説明】
【００１２】
添付図面に合わせて読む場合、下記詳しい記述から本開示の各面をよりよく理解することができる。
【図１】４つのシェルフを有する再構成可能なシャーシの実施例の透視前面図であり、１Ｕ高度の素子の取り付けを許可する。
【図２】図１に示す再構成可能なシャーシの実施例の前面図であり、１Ｕ高度の素子を取り付けることができるように、再構成可能なシャーシに４つのシェルフが取り付けられる。
【図３】図２に示すシャーシの実施例の後壁の特写透視図であり、シャーシが異なる高度のガイドピンを有する。
【図４】図１に示す再構成可能なシャーシの実施例の前面図であり、１．３３Ｕ高度の素子を取り付けることができるように、再構成可能なシャーシに３つのシェルフが取り付けられる。
【図５】図１に示す再構成可能なシャーシの実施例の前面図であり、２Ｕ高度の素子を取り付けることができるように、再構成可能なシャーシに２つのシェルフが取り付けられる。
【図６Ａ】図１に示す再構成可能なシャーシのシェルフを固定するための異なる付着機構の透視図である。
【図６Ｂ】図１に示す再構成可能なシャーシのシェルフを固定するための異なる付着機構の透視図である。
【図６Ｃ】図１に示す再構成可能なシャーシのシェルフを固定するための異なる付着機構の透視図である。
【図７Ａ】別の再構成可能なシャーシの前面図であり、前記シャーシが水平バスバーに付着されることに基づく異なる数の摺動モジュールを有する。
【図７Ｂ】別の再構成可能なシャーシの前面図であり、前記シャーシが水平バスバーに付着されることに基づく異なる数の摺動モジュールを有する。
【図７Ｃ】別の再構成可能なシャーシの前面図であり、前記シャーシが水平バスバーに付着されることに基づく異なる数の摺動モジュールを有する。
【図７Ｄ】別の再構成可能なシャーシの前面図であり、前記シャーシが水平バスバーに付着されることに基づく異なる数の摺動モジュールを有する。
【図８】図７Ａ〜図７Ｄに示すシャーシの上面図であり、且つ図７Ａ〜図７Ｄに水平バスバーが示される。
【図９】図７Ａ〜図７Ｄに示す再構成可能なシャーシの透視図であり、且つ図７Ａ〜図７Ｄが水平バスバー及び異なる摺動モジュールを有する。
【図１０】図７Ａ〜図７Ｄに示す再構成可能なシャーシにおけるバスバーを有する摺動モジュールの付着の透視上面図である。
【図１１】図７Ａ〜図７Ｄに示す再構成可能なシャーシにおける図９に示すその中の１つの摺動モジュールがバスバーに付着される様子の側面図である。
【図１２Ａ】図７Ａ〜図７Ｄに示す再構成可能なシャーシにおける水平バスバー及び垂直支持部材の透視図である。
【図１２Ｂ】図７Ａ〜図７Ｄに示す再構成可能なシャーシにおける水平バスバー及び垂直支持部材の透視図である。
【図１３】垂直バスバーを有する別の再構成可能なシャーシの実施例の透視図である。
【図１４】図１３に示す再構成可能なシャーシにおける垂直バスバーが後でケーブルを摺動モジュールの各々に付着する様子の上面図である。
【図１５】図１３に示す再構成可能なシャーシにおける垂直バスバーからケーブルに付着される摺動モジュールの特写透視図である。
【図１６】図１３に示すシャーシの実施例におけるケーブルと摺動モジュールとの付着の上面図である。
【図１７Ａ】図１３に示すシャーシの実施例における２つの垂直バスバーの取り付けの上面図である。
【図１７Ｂ】図１３に示すシャーシの実施例における２つの垂直バスバーの取り付けの透視図である。
【図１８Ａ】図１３に示すシャーシの実施例における複数の垂直バスバーの取り付けの上面図である。
【図１８Ｂ】図１３に示すシャーシの実施例における複数の垂直バスバーの取り付けの透視図である。
【図１９Ａ】シャーシの上面図であり、垂直バスバー及び異なる幅の摺動モジュールの異なる位置を示す。
【図１９Ｂ】シャーシの上面図であり、垂直バスバー及び異なる幅の摺動モジュールの異なる位置を示す。
【図１９Ｃ】シャーシの上面図であり、垂直バスバー及び異なる幅の摺動モジュールの異なる位置を示す。
【図２０】前後の取り外し可能な再構成可能なシャーシを有する実施例の透視図である。
【図２１】図２０に示す再構成可能なシャーシの一部の組立素子の側面図である。  本開示は、各種の修正及び代替形態を許可し、且つ既に透添付図面における範例によって、幾つかの代表的な実施例を示し、且つここで詳しく記述する。しかしながら、理解すべきなのは、本発明は開示された特定形態に限定される意図はない。逆に、本開示は、全ての添付の請求項により限定される本発明の精神や範囲内の全ての修正物、等同物及び代替物を含むことを図る。
【発明を実施するための形態】
【００１３】
本発明は、数多くの異なる形態で表される。添付図面には代表的な実施例を示し、ここで詳しく記述する。それは、本開示が本開示の原理や範例又は説明として理解され、且つ本開示の広範な方面を実施例の図面に制限する意図ではない。この場合、例えば、要約、発明の内容及び詳しい記述部分に要素及び制限が開示されるが、請求項に明確に述べられていなければ、示唆、推論又は他の形態で単独又は集合的に請求項に合併するべきではない。特に言明しない限り、詳しく記述するために、単数は複数を含むが、逆にもその通りである。「含む」とは、「含むが、それに限定されない」である。また、本文では、「約」、「ほとんど」、「実際的に」、「近似」等の類似な語彙を使用してよく、「〜にあり、接近又は〜に接近する」又は「３〜５％以内」又は「許可可能な製造容差内にある」、又は如何なる論理組み合わせを表すことに用いられることができる。
【００１４】
図１は、再構成可能なシャーシ１００の透視前面図である。図２は、シャーシ１００の前面図である。シャーシ１００は、２つの側壁１０２及び１０４を含む。側壁１０２及び１０４が底板１０６により支持される。側壁１０２及び１０４が頂板１０８により接続される。後壁１１０が２つの側壁１０２及び１０４に接続され、且つシャーシ１００の後部を形成する。後壁１１０の内面は、例えば平行である２列のガイドピン（ｇｕｉｄｅ  ｐｉｎ）１１２及び１１４のような係止部（ｒｅｇｉｓｔｒａｔｉｏｎ  ｆｅａｔｕｒｅ）を含む。係止部は、側壁１０２と１０４との間の異なる高度でシェルフを置くことに用いられる。側壁１０２及び１０４は、それぞれ側壁１０２及び１０４から垂直に延伸（ｐｒｏｊｅｃｔ）する前フランジ１１６及び１１８を有する。
【００１５】
一実施例において、底板１０６は、配電盤１２０における各種の電子支持素子を含む。例えば、配電盤１２０における電子素子は、シャーシ管理コントローラ（ｃｈａｓｓｉｓ  ｍａｎａｇｅｍｅｎｔ  ｃｏｎｔｒｏｌｌｅｒ；ＣＭＣ）１２２を含んでよい。他の素子は、電源、バスバーインタフェース、ネットワークインタフェース等を含んでよい。一実施例において、側壁１０２と１０４との間にシェルフを取り付けることで、シャーシ１００の内部空間の空間構造を調節することができる。このような異なる高度の摺動モジュールを許可する柔軟性により、シャーシ１００の内部空間の利用が改善される。
【００１６】
一実施例において、図１及び図２に示すように、シャーシ１００は、取り付けられる４つのシェルフ１３０、１３２、１３４及び１３６を有する。各シェルフ、例えばシェルフ１３０は、２つのサイドトラック１４２及び１４４を有するブラケット１４０を含む。ブラケット１４０は、一般的に平坦状であり、且つ１つ又は複数の摺動モジュールを収納できるように設計される。サイドトラック１４２及び１４４の前端に対向する一対の前タブ（ｔａｂ）１４６及び１４８を含む。前タブ１４６及び１４８の各々は、その中に開設されたガイド穴１５０を含む。前フランジ１１６及び１１８の各々は、異なる高度に設けられる穴を有する。ブラケット１４０が側壁１０２と１０４との間に挿入される場合、前タブ１４６及び１４８は、対向する前フランジ１１６及び１１８に接触するように位置決めされる。そのため、下記のように、付着機構は、ブラケット１４０の前タブ１４６及び１４８のガイド穴１５０、及び側壁１０２及び１０４の前フランジ１１６及び１１８における所望の高度での対向する穴に挿入することができる。
【００１７】
ブラケット１４０のサイドトラック１４２及び１４４の対向する後側が後フランジ１５２に付着される。後フランジ１５２は、その中に開設された２つのガイド穴１６０及び１６２を有する。各ガイド穴１６０及び１６２の水平位置がそれぞれ後壁１１０におけるガイドピン１１２及び１１４の列と揃える。１組の接続板、例えば接続板１７０は、シャーシ１００に固定される。接続板１７０の各々がシャーシ１００における配電盤１２０に接続される。ガイド穴１６０及び１６２においてシャーシ１００に取り付けられた摺動モジュールの各々が対向する接続器、例えば接続器１７２によって接続板に接触する。そのため、摺動モジュールの各々からのデータ信号は、シャーシ管理コントローラ１２２に発信されることができる。シャーシ管理コントローラ１２２は、管理スイッチに接続されてよい。管理スイッチは、シャーシ１００の中に取り付けられた全ての摺動モジュールをモニターすることを可能にする。
【００１８】
図３は、後壁１１０及び１列のガイドピン１１４の特写透視図である。この１列のガイドピン１１４は、約１つの標準高度ユニット（Ｕ）で垂直に分けて設けられる１組のガイドピン３０２、３０４、３０６及び３０８を含む。上記のように、ガイドピン３０２、３０４、３０６及び３０８の各々がシェルフ１３０のようなシェルフのガイド穴１６２内に配置される。１列のガイドピン１１２が例えばシェルフ１３０のガイド穴１６０内に配置されることと同様である。そのため、対向するガイド穴と所望の１列のガイドピン１１２及び１１４（図１）と合わせることで、シェルフをシャーシ１００の内部空間の異なる高度に取り付けることができる。シェルフの前タブをシャーシ１００の側壁１０２及び１０４の対向する前フランジ１１６及び１１８に付着することで、シェルフを固定する。
【００１９】
ガイドピン３０２、３０４、３０６及び３０８が１標準単位である。そのため、４つの１単位高度の素子を許可するように、４つのシェルフを取り付け、又は、２単位高度の素子の取り付けを許可するように、２つのシェルフがガイドピン３０８及び３０４に取り付けられてよい。別組のガイドピン３１０及び３１２がガイドピン３０２、３０４、３０６及び３０８と異なる高度の位置に取り付けられる。一実施例において、ガイドピン３０８とガイドピン３１２との間の高度は１．３３基準単位である。ガイドピン３１２とガイドピン３１０との間の高度も１．３３基準単位である。
【００２０】
また図２を参照されたい。図面に示すように、その中の１つのガイド穴、例えばシェルフ１３０、１３２、１３４及び１３６の後フランジ１５２のガイド穴１６２は、図３に示す後壁１１０におけるガイドピン３０２、３０４、３０６及び３０８に合わせる。後端の別のガイド穴、例えばガイド穴１６０は、別組の後壁１１０における対向する１列のガイドピン１１２（図１）に合わせる。シェルフ１３０、１３２、１３４及び１３６の各々の前タブがそれぞれ対向する高度で側壁１０２及び１０４の前フランジに固定される。シェルフ１３０、１３２、１３４及び１３６が固定された後で、１標準単位高度を有する摺動モジュール２１０、２１２、２１４及び２１６の各々が対向するシェルフ１３０、１３２、１３４及び１３６に取り付けられる。
【００２１】
図４は、シャーシ１００の代替配置を示し、図２に示す異なる高度の素子を許可する。図４において、図１〜図３に示す同じ素子には同じ素子番号が付けられる。図４に示すシャーシ１００には３つのシェルフ４１０、４１２及び４１４が取り付けられる。そのため、シェルフ４１０、４１２及び４１４の各々の後端の１つの穴が１列のガイドピン１１４（図３）におけるガイドピン３０８、３１２及び３１０に挿入する。シェルフ４１０、４１２及び４１４の各々の後フランジにおける別の穴が対向する１列のガイドピン１１２に挿入する（図１）。そのため、シェルフ４１０、４１２と４１４との間に、１．３３標準単位高度がある。シェルフ４１０、４１２及び４１４の各々は、側壁１０２及び１０４の前フランジ１１６及び１１８に係止される前タブを有する（図１）。シェルフ４１０、４１２及び４１４が固定された後で、摺動モジュールは、シェルフ４１０、４１２及び４１４のブラケットの中に取り付けられてよい。一実施例において、一連の１．３３単位高度の摺動モジュール４２０、４２２及び４２４がそれぞれシェルフ４１０、４１２及び４１４に挿入する。
【００２２】
図５は、シャーシ１００の代替配置を示し、図２又は図４における異なる高度の素子摺動モジュールを許可する。図５において、図１〜図３に示す同じ素子には同じ素子番号が付けられる。図５に示すシャーシ１００に２つのシェルフ５１０及び５１２が取り付けられる。シェルフ５１０及び５１２の各々の後端の１つの穴が１列のガイドピン１１４（図３）に示すガイドピン３０８及び３１２の中に挿入する。シェルフ５１０及び５１２の各々の後フランジの別の穴が対向する１列のガイドピン１１２の中に挿入する（図１）。そのため、シェルフ５１０と５１２との間に、２つの標準単位高度がある。シェルフ５１０及び５１２の各々は、側壁１０２及び１０４の前フランジ１１６及び１１８に係止される前タブを有する。シェルフ５１０及び５１２が固定された後で、摺動モジュールは、シェルフ５１０及び５１２の中に取り付けられてよい。一実施例において、２つの２単位高度の摺動モジュール５２０及び５２２がそれぞれシェルフ５１０及び５１２に挿入する。
【００２３】
図６Ａ〜図６Ｃは、シェルフを付着するための異なるファスナー（ｆａｓｔｅｎｅｒ）を示し、例えば図２におけるシェルフ１３０、１３２、１３４及び１３６である。図６Ａ〜図６Ｃにおいて、図１〜図３に示す同じ素子には同じ素子番号が付けられる。図６Ａは、円状主体６０２を有するクォーターターンファスナー（ｑｕａｒｔｅｒ  ｔｕｒｎ  ｆａｓｔｅｎｅｒ）６００を示し、円状主体６０２がシェルフ１３０の前タブ１４８におけるガイド穴１５０に挿入することができる。次に、円状主体６０２が側壁１０４の前フランジ１１８の穴の中に挿入して、シェルフ１３０の前タブ１４８を前フランジ１１８に接続する。クォーターターンファスナー６００は、円柱状ヘッド（ｃｙｌｉｎｄｒｉｃａｌ  ｈｅａｄ）６０４を含む。円柱状ヘッド６０４は、使用者がクォーターターンファスナー６００を回転して、シェルフ１３０及び側壁１０４の前フランジ１１８をロックするようにする。一旦シェルフ１３０が固定されると、摺動モジュール２１０は、シェルフ１３０に取り付けられることができる。
【００２４】
図６Ｂは、つまみねじ（ｔｈｕｍｂ  ｓｃｒｅｗ）６２０を示す。つまみねじ６２０はねじ頭（ｓｃｒｅｗ  ｈｅａｄ）６２２を有する。ねじ頭６２２はシェルフ１３０の前タブ１４８におけるガイド穴１５０に挿入することができる。次に、シェルフ１３０の前タブ１４８に接続するように、ねじ頭６２２を側壁１０４の前フランジ１１８の穴に挿入する。つまみねじ６２０は、円柱状ノブ（ｃｙｌｉｎｄｒｉｃａｌ  ｋｎｏｂ）６２４を含む。円柱状ノブ６２４は、使用者がつまみねじ６２０を回転させて締め付けて、シェルフ１３０及び側壁１０４の前フランジ１１８をロックするようにする。一旦シェルフ１３０が固定されると、摺動モジュール２１０は、シェルフ１３０に取り付けられてよい。
【００２５】
図６Ｃは、ねじ頭６５２を有する常規のねじ６５０を示す。ねじ頭６５２は、シェルフ１３０の前タブ１４８におけるガイド穴１５０に挿入されることができる。ねじ頭６５２が側壁１０４の前フランジ１１８の穴に挿入されて、シェルフ１３０の前タブ１４８に接続される。ねじ６５０は、円柱状ヘッド６５４を含む。円柱状ヘッド６５４は、使用者がねじ６５０を回転させ締め付けて、シェルフ１３０及び側壁１０４の前フランジ１１８に接続されるようにする。一旦シェルフ１３０が固定されると、摺動モジュール２１０は、シェルフ１３０に取り付けられることができる。
【００２６】
別の実施例の再構成可能なシャーシ７００は図７Ａ〜図７Ｄに示される。図７Ａ〜図７Ｄは、再構成可能なシャーシ７００の異なる配置の前面図である。再構成可能なシャーシ７００は、図１〜図６に示すシャーシ１００に類似し、シェルフの間の異なる高度の調整を許可するため、異なる高度の摺動モジュールの取り付けを許可する。シャーシ７００は、素子領域７０２を含む。素子領域７０２は、電源供給ユニット及びシャーシ７００の中に取り付けることのできる交換可能な電子装置の他の支持電子装置を含む。シャーシ７００は、頂板７１６及び底板７１８によって接続される２つの側壁７１２及び７１４を含む。シャーシ７００は、前部が開放であるが、後部が閉鎖である。２つの側壁７１２と７１４との間に一連のシェルフを挿入してよい。一実施例において、シャーシ７００の中に３つのシェルフが取り付けられる。理解すべきなのは、シャーシ７００の中に異なる高度の異なる数のシェルフを取り付けてよい。
【００２７】
一実施例において、再構成可能なシャーシ７００は、更に、水平バスバーを使用することで異なる幅の摺動モジュールを配置することを許可する。具体的には、異なる幅の摺動モジュールを取り付けて、シャーシ７００の後部の共通水平バスバーに接続させてよい。図７Ａは、１単位高度及びシャーシ７００と同じ幅を有する４つの摺動モジュール７３０の取り付けを示す。図７Ｂは、シャーシ７００における８つの摺動モジュール７４０の取り付けを示す。摺動モジュール７４０の各々は１単位高度を有するが、シャーシ７００の半分の幅を有する。そのため、シャーシ７００のシェルフの各々が２つの摺動モジュール７４０を支持して、合計で８つの摺動モジュール７４０を形成することができる。図７Ｃは、シャーシ７００における１２つの摺動モジュール７５０の取り付けを示す。摺動モジュール７５０の各々は、１単位高度を有するが、シャーシ７００の三分の一の幅を有する。そのため、シャーシ７００のシェルフの各々が３つの摺動モジュール７５０を支持して、合計で１２つの摺動モジュール７５０を形成することができる。図７Ｄは、シャーシ７００における１６つの摺動モジュール７６０の取り付けを示す。摺動モジュール７６０の各々は、１単位高度を有するが、シャーシ７００の四分の一の幅を有する。そのため、シャーシ７００のシェルフの各々は、４つの摺動モジュール７６０を支持して、合計で１６つの摺動モジュール７６０を形成することができる。水平バスバーの使用により、シェルフにおいて異なる幅の摺動モジュールを混合させることを許可する。つまり、同じ幅を有する摺動モジュールが図７Ａ〜図７Ｄに示されても、異なる幅の摺動モジュールがシェルフの各々に配置されることができ、且つ異なる幅の摺動モジュールが異なるシェルフに配置されることができる。
【００２８】
図８は、シャーシ７００の上面図を示す。図９は、シャーシ７００の分解透視図を示す。図８〜図９において、図７Ａ〜図７Ｄと同じ素子には同じ素子番号が付けられる。一実施例において、図８は、シャーシ７００に挿入された摺動モジュール７７０を示す。一実施例において、５つもある摺動モジュール７７０が実施例のシャーシ７００の４つのシェルフの中の各々に取り付けられてよい。シャーシ７００は、垂直支持部材８２０に取り付けられる、一連の３つの水平バスバー８１０、８１２及び８１４を含む。３つの水平バスバー８１０、８１２及び８１４の何れも図７Ａ〜図７Ｄに示す１つ又は複数の摺動モジュールの高度に位置する。水平バスバー８１０、８１２及び８１４に類似する第４の水平バスバーは、第４列の摺動モジュールに対応するように、垂直支持部材８２０に取り付けられてよい。後部の水平バスバー、例えば水平バスバー８１０は、その何れもケーブル及び接続器を支持し、前記ケーブル及び接続器が電力をシャーシ７００の中に取り付けられる摺動モジュールに送る。一実施例において、一連の電源供給ユニット８３０、８３２、８３４及び８３６は、配電盤８４０に取り付けられ、配電盤８４０がシャーシ７００の素子領域７０２の中に位置する。図９に示すように、電源供給ユニット８３０、８３２、８３４及び８３６は、モジュール化されたものであり、且つスワップアウトされることができる。配電盤８４０は、ケーブルが電源供給ユニット８３０、８３２、８３４及び８３６から電力をシャーシ７００における摺動モジュールに取り付けられる電子素子に送ることを許可するように、接続器を含む。垂直支持部材８２０は、配電盤８４０に付着される。
【００２９】
図８に示すように、後部の水平バスバー８１０は、複数の摺動モジュール７７０がシャーシ７００に挿入されることを許可する。摺動モジュール７７０がシェルフに付着された後で、電源接続器は、摺動モジュール７７０に接続されて、摺動モジュール７７０における電子素子に給電する。後部の水平バスバー８１０がシャーシ７００の全体幅を跨るため、如何なる幅の摺動モジュールも後部の水平バスバー８１０に付着されることができる。そのため、後部の水平バスバー８１０は摺動モジュール、例えば摺動モジュール７３０（図７Ａ）に支持を提供することができ、摺動モジュール７３０の幅はシャーシ７００の幅である。摺動モジュール、例えば摺動モジュール７４０（図７Ｂ）は、その幅がシャーシ７００の幅の半分である。摺動モジュール、例えば摺動モジュール７５０（図７Ｃ）は、その幅がシャーシ７００の幅の三分の一である。又は摺動モジュール、例えば摺動モジュール７６０（図７Ｄ）は、その幅がシャーシ７００の幅の四分の一である。シェルフの前部は、図１〜図３に示すものと類似なタブ構造をふくんでよい。図１〜図３に示すように、タブ構造がシャーシ側壁の対向するフランジに接続される。
【００３０】
図１０は、後部の水平バスバー８１０（図８）に付着される摺動モジュール７７０の特写透視図である。図１１は、後部の水平バスバー８１０に付着される摺動モジュール７７０の特写側面図である。図１０〜図１１に示すように、水平バスバーの各々、例えば水平バスバー８１０は、上部バープレート（ｔｏｐ  ｂａｒ  ｐｌａｔｅ）１０１０及び底部バープレート（ｂｏｔｔｏｍ  ｂａｒ  ｐｌａｔｅ）１０１２を含む。摺動モジュール７７０は、上部バープレート１０１０に合わせた２つの上部ジグ（ｃｌａｍｐ）１０２０及び１０２２を含む。摺動モジュール７７０は、更に、底部バープレート１０１２に合わせた２つの底部ジグ１０２４及び１０２６を含む。上部ジグ１０２０及び１０２２は、摺動モジュール７７０に接続された接続板（ｉｎｋｉｎｇ  ｂｏａｒｄ）（未図示）の一部である。このように、水平バスバー８１０から摺動モジュール７７０に電源を提供することができる。
【００３１】
図１２Ａ及び図１２Ｂは、図８に示す水平バスバー８１０及び垂直支持部材８２０の透視図である。垂直支持部材８２０は、一対のアンカー止め支持部材（ａｎｃｈｏｒｉｎｇ  ｓｕｐｐｏｒｔ）１０３０及び１０３２を含む。アンカー止め支持部材１０３０及び１０３２は、垂直支持部材８２０に垂直になって、シャーシ７００の中に付着されて延伸する。アンカー止め支持部材１０３０及び１０３２は、一端に対向するアンカー止め板１０３４及び１０３６を含む。アンカー止め板１０３４及び１０３６は、一連のねじによって配電盤８４０（図９）に接続される。アンカー止め支持部材１０３０及び１０３２の対向端が対向するねじによって対向する垂直支持部材１０４０及び１０４２に付着される。垂直支持部材１０４０及び１０４２がシャーシ７００の高度で延伸して、如何なる高度でも水平バスバーを支持できるようになる。
【００３２】
垂直支持部材１０４０及び１０４２は、水平バスバーの各々に用いられる支持アーム（ｂｒａｃｅ）、例えば支持アーム１０５０及び１０５２を含む。一実施例において、支持アーム１０５０が垂直支持部材１０４０から凸出し、且つ支持アーム１０５２が垂直支持部材１０４２から凸出する。支持アーム１０５２は、水平支持板１０６０を含む。図１１に示すように、水平支持板１０６０は、ねじ１０６４を収納可能なねじ穴１０６２を含む。底部バープレート１０１２は、ねじ穴１０６２に揃えることのできる対向するねじ穴を含む。水平支持板１０６０は、ねじ１０６４によって底部バープレート１０１２に付着される。同じように、支持アーム１０５０は、水平支持板１０７０を含む。図１１に示すように、水平支持板１０７０は、ねじ１０７４を収納可能なねじ穴１０７２を含む。上部バープレート１０１０は、ねじ穴１０７２に揃えることのできる対向するねじ穴を含む。水平支持板１０７０がねじ１０７４によって上部バープレート１０１０に付着される。
【００３３】
図１３は、調節可能な垂直バスバー構造１３０２を含む別の実施例のシャーシ１３００の分解透視図である。垂直バスバー構造１３０２は、一対のアンカー止め支持部材１３０４及び１３０６を含む。アンカー止め支持部材１３０４及び１３０６は、一端に対向するアンカー止め板１３０８及び１３１０を含む。アンカー止め板１３０８及び１３１０は一連のねじによって配電盤１３１２に付着される。アンカー止め支持部材１３０４及び１３０６の対向端が相応のねじによって相応の垂直支持部材１３１４及び１３１６の一端に付着される。垂直支持部材１３１４及び１３１６は、シャーシ１３００の高度で延伸して、ケーブルが異なる高度の摺動モジュールに接続されることを許可する。一連の交換可能な電源供給ユニット１３２０、１３２２、１３２４及び１３２６は配電盤１３１２により支持される。
【００３４】
シャーシ１３００は、一対の側壁１３３２及び１３３４を更に含む。側壁１３３２及び１３３４が頂壁１３３６及び底壁１３３８に接続される。後壁１３３９がシャーシ１３００の後端を封止する。シャーシ１３００の前端は、開放であり、摺動モジュールを挿入させることに用いられる。
【００３５】
図１４は、シャーシ１３００の上面図である。実施例のシャーシ１３００である。シャーシ１３００の側壁１３３２と１３３４との間のシェルフ１４００に取り付けられるシャーシ１３００は、その幅に４つの摺動モジュールのスロットを有する。実施例のシャーシ１３００は、取り付けられた３つのシェルフを有し、１Ｕ高度のネットワーク装置を収納するように、シェルフが一定の高度を開ける。当然、シャーシ１３００は、３つよりも多く又は少ない摺動モジュールを含んでよい。また、異なる高度のシェルフは、シャーシ１３００に用いられてよい。一実施例において、図１４は、その中の１つのシェルフに取り付けられた３つの摺動モジュール１３４０、１３４２及び１３４４を示す。垂直バスバー構造１３０２は、４組の異なるケーブル１３５０、１３５２、１３５４及び１３５６を付着して支持するケーブルガイドレール１３４６を有する。ケーブル１３５０、１３５２、１３５４及び１３５６の各々は、相応のプラグ１３６０、１３６２、１３６４及び１３６６を有する。プラグ１３６０、１３６２、１３６４及び１３６６は、その中の１つの摺動モジュールに動力を提供することに用いられてよい。一実施例において、プラグ１３６０、１３６２及び１３６６は、相応の摺動モジュール１３４０、１３４２及び１３４４の中に挿入する。
【００３６】
図１５は、垂直バスバー構造１３０２及びシャーシ１３００における摺動モジュールの電源接続（図１３〜図１４）の特写透視図である。図１６は、垂直バスバー構造１３０２及びシャーシ１３００における摺動モジュールの電源接続の上面図である。図１５及び図１６において、第４の摺動モジュール１３４８が既にシャーシ１３００の中に挿入される。図１５及び図１６に示すように、ガイドレール１３４６は、水平板１４１０を含む。水平板１４１０の一側に一対のジグ１４１２及び１４１４を有する。ジグ１４１２及び１４１４がそれぞれ垂直支持部材１３１４及び１３１６に付着される。ジグ１４１２及び１４１４がガイドレール１３４６を摺動モジュール１３４０、１３４２、１３４４及び１３４８に対向する特定の高度に保持する。水平板１４１０の対向側にケーブル端口（ｃａｂｌｅ  ｐｏｒｔ）１４２０を有する。ケーブル端口１４２０は、セットになるためのケーブル１３５０、１３５２、１３５４及び１３５６のプラグを含む。ケーブル端口１４２０は、別組のケーブル（未図示）によってその中の１つの電源供給ユニット（図１３）に接続される。
【００３７】
垂直バスバー構造１３０２は、シャーシ１３００の幅に沿って調整されてよい。例えば、配電盤１３１２は異なる係止部を含くんでよく、例えば、垂直バスバー構造１３０２を異なる位置に付着させるための穴を許可する。バスバー構造に類似する付加バスバー構造は、配電盤１３１２に付着されてよい。
【００３８】
図１７Ａ〜図１７Ｂから、付加バスバー構造の実施例をみることができる。図１７Ａは、図１３に示すシャーシ１３００における２つの垂直バスバー１７００及び１７０２の取り付けの上面図である。図１７Ｂは、図１３に示すシャーシ１３００における配電盤１３１２上の２つの垂直バスバー１７００及び１７０２の取り付けの透視図である。垂直バスバー１７００及び１７０２が図１３〜図１６に示す垂直バスバー構造１３０２と同じである。一実施例において、垂直バスバー１７００及び１７０２が位置決めされて、ケーブルを摺動モジュール又はシャーシ１３００の幅に位置する摺動モジュールに提供される。そのため、垂直バスバー１７００及び１７０２によって複数の電源接続を行うことができる。垂直バスバー１７００及び１７０２は、シャーシ１３００の幅の上方の如何なる位置になるように調整されてよい。
【００３９】
図１８Ａ〜図１８Ｂに示すバスバー構造は、異なる位置に位置決めされてもよい。そのため、配電盤１３１２は、シャーシ１３００の幅の上方の異なる位置に穴を有してよい。これらの穴がバスバー構造のアンカー止め部材に付着されるねじを受けるため、異なる数のバスバー構造及びバスバー構造の異なる位置決めを許可する。バスバー構造の位置決めは、シャーシ１３００の中に取り付けられた摺動モジュール構造のタイプによって決めされる。当然、他のバスバー構造の機構を使用してもよい。図１８Ａは、図１３における複数の垂直バスバー構造１８００、１８０２、１８０４及び１８０６の取り付けの上面図である。図１８Ｂは、図１３に示す複数の垂直バスバー構造１８００、１８０２、１８０４及び１８０６の取り付けの透視図である。垂直バスバー構造１８００、１８０２、１８０４及び１８０６は、シャーシ１３００の幅の上方の如何なる位置に位置するように調整されてよい。
【００４０】
図１９Ａ〜図１９Ｃは、図１３に示すシャーシ１３００の上面図である。図１３は、図１７〜図１８の位置と異なる垂直バスバー構造を有するものの関連取り付けの異なる摺動モジュールを示す。図１９Ａは、２つの垂直バスバー１７００及び１７０２を有する場合の図１７Ａ〜図１７Ｂにおける配置を示す。単一の摺動モジュール１９００がシャーシ１３００の中に取り付けられる。垂直バスバー１７００及び１７０２の何れも異なる電源を支持して摺動モジュール１９００に接続させる。
【００４１】
図１９Ｂは、図１７Ａ〜図１７Ｂにおける２つの垂直バスバー１７００及び１７０２を有する配置を示す。図１９Ｂは、シャーシ１３００の中に取り付けられた２つの摺動モジュール１９２０及び１９２２を示す。図１９Ｂに示すように、摺動モジュール１９２０が垂直バスバー１７００に近づき、また摺動モジュール１９２２が垂直バスバー１７０２に近づく。そのため、垂直バスバー１７００は摺動モジュール１９２０の電源接続に支持を提供し、垂直バスバー１７０２は摺動モジュール１９２２の電源接続に支持を提供する。
【００４２】
図１９Ｃは、図１８Ａ〜図１８Ｂにおける４つの垂直バスバー構造１８００、１８０２、１８０４及び１８０６を有する配置を示す。図１９Ｃは、シャーシ１３００の中に取り付けられた４つの摺動モジュール１９５０、１９５２、１９５４及び１９５６を示す。図１９Ｃに示すように、摺動モジュール１９５０が垂直バスバー構造１８００に近づき、摺動モジュール１９５２が垂直バスバー構造１８０２に近づき、摺動モジュール１９５４が垂直バスバー構造１８０４に近づき、摺動モジュール１９５６が垂直バスバー構造１８０６に近づく。そのため、垂直バスバー構造１８００、１８０２、１８０４及び１８０６は、各摺動モジュール１９５０、１９５２、１９５４及び１９５６の電源接続に支持を提供する。
【００４３】
図２０は、再構成可能なシャーシ２０００の別の実施例の分解透視図である。図２１は、再構成可能なシャーシ２０００の素子の側面図である。再構成可能なシャーシ２０００は、後シャーシ構造２０１０及び前シャーシ構造２０１２を含む。シャーシ２０００は、数の変更可能なシェルフ２０３０、２０３２及び２０３４において数の変更可能な摺動モジュール、例えば摺動モジュール２０２０、２０２２及び２０２４を支持する。シェルフの各々、例えばシェルフ２０３０は、摺動モジュール２０２０のような幅を有する４つの摺動モジュールを収納することができる。当然、異なる幅の他の摺動モジュールは、シェルフ２０３０、２０３２及び２０３４により支持されてよい。前シャーシ構造２０１２は、異なる高度で異なる数のシェルフを取り付けるように、異なる機構を含む。上記図１〜図６を参照して、このような再構成可能な機構の一例を解釈する。また、後シャーシ構造２０１０は、異なる位置に異なるタイプのバスバーを取り付けることを許可し、上記図１３〜図１９に記載の配置に類似である。一実施例において、後シャーシ構造２０１０は、単一の垂直バスバー２０４０を有する。垂直バスバー２０４０は、前シャーシ構造２０１２における摺動モジュールのケーブルを支持することに用いられることができる。
【００４４】
図２０及び図２１に示すように、前シャーシ構造２０１２は、後シャーシ構造２０１０に摺動可能に結合される２つの側壁、１つの底壁及び１つの頂壁を有する。そのため、前シャーシ構造２０１２が後シャーシ構造２０１０の中に挿入される。このように、前シャーシ構造２０１２は、電源供給ユニットのような電子素子を配電盤に保持し、摺動モジュールに挿入されるネットワーク装置に接続されることに用いられることができる。前記摺動モジュールが順次に前シャーシ構造２０１２の中のシェルフ２０３０、２０３２及び２０３４に付着される。後シャーシ構造２０１０の中で素子をメンテナンスする必要がある場合、前シャーシ構造２０１２は、後シャーシ構造２０１０から離れるように移動させて入らせることができる。また、異なるタイプの摺動モジュールに対応するように、後シャーシ構造２０１０の中でバスバーのタイプを調整してよい。前シャーシ構造２０１２は、異なる幅の摺動モジュールを収納可能な異なる高度シェルフに好適に用いられる。後シャーシ構造２０１０は、より長い摺動モジュールを収納するために、変化可能な長さを有してよい。このような長い摺動モジュールは、記憶装置のような付加電子素子を含むことを許可する。配電盤及び電源供給ユニットのような電子素子が前シャーシ構造２０１２に固定され、バスバーが後シャーシ構造２０１０に固定される。後シャーシ構造２０１０が前シャーシ構造２０１２に結合され、且つねじによって接続することができる。
【００４５】
本文に用いる用語は、特定の実施例を記述するためのものであるが、本開示に限定されない。本文に使用されるように、上下文で特に明示されない限り、単数形態の「一」及び「前記」は、複数形態を更に含む。また、詳しい記述及び／又は特許請求の範囲における「含む」、「備える」、「有する」、「ある」、「付き」という用語又はその変わった用語は、「含む」という用語に類似する意味を含む。
【００４６】
特に定義されない限り、本文に用いられる全ての用語（技術及び科学用語を含む）は、当業者が一般的に理解するものと同じ意味を有する。また、例えば、常用辞書で定義された用語は、関連分野の背景のと一致である意味を有すると解釈されるべきであり、本文で明確に定義されない限り、理想化又は過度に形式的な形態で解釈されることはない。
【００４７】
上記で本開示の各種の実施例を記述したが、理解すべきなのは、それらは範例として表されるだけであり制限ではない。本開示の精神や範囲から逸脱せずに、本文の開示内容に基づいて開示された実施例に数多くの変更を加えてよい。そのため、本開示の広さ及び範囲は、如何なる上記実施例によりも制限されない。相対的に言えば、本開示の範囲は、添付された請求項及びその等同物により定義されるべきである。
【００４８】
既に１つ又は複数の達成形態について、本開示を説明及び記述したが、本明細書や添付図面を読んで理解した後で、当業者であれば、等效の変更や修正を想到することができる。また、本開示の特定の特徴が既に幾つの実行過程の１つについて開示されたが、前記特徴は他の実行過程の１つ又は複数の他の特徴に組み合わせてもよく、例えば、如何なる一定の又は特定の適用に対しても所望され又は有利である可能性がある。
【符号の説明】
【００４９】
１００、７００、１３００、２０００：シャーシ
１０２、１０４、７１２、７１４、１３３２、１３３４：側壁
１０６、７１８：底板
１０８、７１６：頂板
１１０、１３３９：後壁
１１２、１１４、３０２、３０４、３０６、３０８、３１０、３１２：ガイドピン
１１６、１１８：前フランジ
１２０、８４０、１３１２：配電盤
１２２：シャーシ管理コントローラ
１３０、１３２、１３４、１３６、４１０、４１２、４１４、５１０、５１２、１４００、２０３０、２０３２、２０３４：シェルフ
１４０：ブラケット
１４２、１４４：サイドトラック
１４６、１４８：前タブ
１５０、１６０、１６２：穴
１５２：後フランジ
１７０：接続板
１７２：接続器
２１０、２１２、２１４、２１６、４２０、４２２、４２４、５２０、５２２、７３０、７４０、７５０、７６０、７７０、１３４０、１３４２、１３４４、１３４８、１９００、１９２０、１９２２、１９５０、１９５２、１９５４、１９５６、２０２０、２０２２、２０２４：摺動モジュール
６００：クォーターターンファスナー
６０２：円状主体
６０４、６５４：円柱状ヘッド
６２０：つまみねじ
６２２、６５２：ねじ頭
６２４：円柱状ノブ
６５０：ねじ
７０２：素子領域
８１０、８１２、８１４：水平バスバー
８２０：垂直支持部材
８３０、８３２、８３４、８３６、１３２０、１３２２、１３２４、１３２６：電源供給ユニット
１０１０：上部バープレート
１０１２：底部バープレート
１０２０、１０２２：上部ジグ
１０２４、１０２６：底部ジグ
１０３０、１０３２、１３０４、１３０６：アンカー止め支持部材
１０３４、１０３６、１３０８、１３１０：アンカー止め板
１０４０、１０４２、１３１４、１３１６：垂直支持部材
１０５０、１０５２：支持アーム
１０６０、１０７０：水平支持板
１０６２、１０７２：ねじ穴
１０６４、１０７４：ねじ
１３０２、１８００、１８０２、１８０４、１８０６：垂直バスバー構造
１３３６：頂壁
１３３８：底壁
１３４６：ガイドレール
１３５０、１３５２、１３５４、１３５６：ケーブル
１３６０、１３６２、１３６４、１３６６：プラグ
１４１０：水平板
１４１２、１４１４：ジグ
１４２０：ケーブル端口
１７００、１７０２、２０４０：垂直バスバー
２０１０：後シャーシ構造
２０１２：前シャーシ構造
【図１】
2019121385.tif 000003
【図２】
2019121385.tif 000004
【図３】
2019121385.tif 000005
【図４】
2019121385.tif 000006
【図５】
2019121385.tif 000007
【図６Ａ】
2019121385.tif 000008
【図６Ｂ】
2019121385.tif 000009
【図６Ｃ】
2019121385.tif 000010
【図７Ａ】
2019121385.tif 000011
【図７Ｂ】
2019121385.tif 000012
【図７Ｃ】
2019121385.tif 000013
【図７Ｄ】
2019121385.tif 000014
【図８】
2019121385.tif 000015
【図９】
2019121385.tif 000016
【図１０】
2019121385.tif 000017
【図１１】
2019121385.tif 000018
【図１２Ａ】
2019121385.tif 000019
【図１２Ｂ】
2019121385.tif 000020
【図１３】
2019121385.tif 000021
【図１４】
2019121385.tif 000022
【図１５】
2019121385.tif 000023
【図１６】
2019121385.tif 000024
【図１７Ａ】
2019121385.tif 000025
【図１７Ｂ】
2019121385.tif 000026
【図１８Ａ】
2019121385.tif 000027
【図１８Ｂ】
2019121385.tif 000028
【図１９Ａ】
2019121385.tif 000029
【図１９Ｂ】
2019121385.tif 000030
【図１９Ｃ】
2019121385.tif 000031
【図２０】
2019121385.tif 000032
【図２１】
2019121385.tif 000033